(57)【要約】      （修正有）【課題】従来技術によれば、独居者の見守りがベースでややもすると作り手の発想から考えられていて、使う側の気遣いに対する配慮に欠けたものとなっていたり、独居事故を発見するには十分とは言い難い。そこで、住居内で暮らしている居住者が本装置を何ら意識することなく生活でき、万一亡くなった場合にその事実がなかなか発見されないケースや誤作動を防止し、亡くなった方を早期に発見し、外部に速やかに連絡できる孤独死の早期発見装置を提供する。【解決手段】居住者の体温から放射される赤外線と動きを検知するだけでなく、テレビ、エアコン、あるいはＡＶ機器等のリモコン操作を検知したり、あるいは照明灯スイッチのオン・オフ操作を検知するようにした生活行動を検知する複数のセンサを一つの処理回路に入力されるように構成した複合センサユニットとすると共に、この複合センサユニットは双方向の通信手段と音声出力手段を有するようにした。【選択図】図２
0003157374.tif 000002
【実用新案登録請求の範囲】
【請求項１】
居住者の体温と動きに反応して検知が行われる人感センサと前記居住者がテレビ、エアコン等のリモコン送信機を操作したことを検知するリモコン操作検知センサ、あるいは照明灯スイッチをオン・オフしたしたことを検知する照明検知センサ等の生活行動を検知するセンサからなる前記複数のセンサがワンチップマイコンに入力されるように構成された複合センサユニットを、住居内生活空間の各部に複数配設すると共に、それぞれの前記複合センサユニット内の前記ワンチップマイコンは、前記複数のセンサの検知回数を記憶し、所定時間毎に通信手段に前記記憶された検知回数を出力することを特徴とする孤独死早期発見装置。
【請求項２】
前記複合センサユニットは、外部と双方向通信が行われるように構成された通信手段に接続されると共に、該複合センサユニット内に音声出力手段を具備し、予め記憶された音声が前記通信手段からの制御信号に対応して前記音声出力手段から出力されることを特徴とする請求項１記載の孤独死早期発見装置。
【請求項３】
前記複合センサユニットは、前記通信手段から前記居住者の在室か外出かの前記制御信号を受信し、該制御信号が外出信号の場合、前記複合センサユニット内の前記人感センサからの検知出力が得られた場合、直ちに前記通信手段へ出力すると共に前記音声手段から予め記憶された所定の威嚇音声を出力することを特徴とする請求項１または２記載の孤独死早期発見装置。
【請求項４】
住居内生活空間の各部に複数配設された前記複合センサユニットは住居内のコントローラと前記通信手段で接続され、前記複合センサユニットのいずれからも所定の時間検知信号が得られない場合、前記コントローラから住居外の通信手段を介して所定の通報先に自動通報されると共に、前記複合センサユニット内の前記音声出力手段から呼びかけ等の予め記憶された所定の音声が出力されることを特徴とする請求項１〜３のいずれかに記載の孤独死早期発見装置。
【請求項５】
居住者の在室か外出かを検知するドアセンサが前記コントローラに接続され、前記ドアセンサが外出を検知した場合、複数配設された前記複合センサユニットは前記コントローラを介して防犯モードに切り替えられ、不正侵入者が検知された場合、前記コントローラに接続された警報手段が作動すると共に、前記ぞれぞれの複合センサユニットから威嚇音声が出力されることを特徴とする請求項１〜４のいずれかに記載の孤独死早期発見装置。
【請求項６】
前記住戸内コントローラは、前記複合センサユニットからの検知回数を、前記通信手段を介して所定時間毎に取得し、住居外の通信回線を介して所定の通報先に送信すると共に、前記複合センサユニットのいずれからも検知回数ゼロが継続し、所定の時間経過した時、前記所定の通報先に自動通報することを特徴とする請求項１〜５のいずれかに記載の孤独死早期発見装置。
【考案の詳細な説明】
【技術分野】
【０００１】  本考案は、一人で暮らしている住居の居住者が何等かの理由によって死亡したときに、その事実を早期に発見する孤独死早期発見および不在時の侵入検知を行う装置に関する。
【背景技術】
【０００２】  近年、少子高齢化社会が進みつつあり、独居を選ぶ高齢者が増加している。このため、都市部では地域コミュニティが希薄になると共に人的交流が疎遠になりがちになり、隣家の異変に気付き難くなっている。最近の安否予防のシステムとして訪問介護や訪問サービス等の介護関係やパソコンを利用した在宅健康診断のサービス提供、また、日常使われている水道や電気ポットを利用したシステムが従来技術として知られている。一方、通信インフラの発展で普及した携帯電話、無線送信機等の活用でホームセキュリティサービスを提供する会社もある。
【先行技術文献】
【特許文献】
【０００３】
【特許文献１】特開平７−９５３０７号報
【特許文献２】特開２００６−３５０５９５号報
【特許文献３】特開平１１−１１０６６５号報
【考案の概要】
【考案が解決しようとする課題】
【０００４】  しかしながら、以上の技術によれば、独居者の見守りがベースでややもすると作り手の発想から考えられていて、使う側の気遣いに対する配慮に欠けたものとなっていたり、独居事故を発見するには十分とは言い難い。そこで、この考案は、住居内で暮らしている居住者が本考案の装置を何ら意識することなく生活でき、独居事故で万一亡くなった場合にその事実がなかなか発見されないケースや誤作動を防止し、独居事故を早期に発見し、外部に速やかに連絡ができる、あるいは外部で知ることができる独居事故による孤独死の早期発装置を提供することである。
【課題を解決するための手段】
【０００５】  本考案は、上記従来の課題を解決するためになされたものであり、居住者の体温から放射される赤外線と動きを検知するだけでなく、テレビ、エアコン、あるいはＡＶ機器等のリモコン操作を検知したり、あるいは照明灯スイッチのオン・オフ操作を検知するようにした生活行動を検知する複数のセンサを一つの処理回路に入力されるように構成した複合センサユニットとすると共に、この複合センサユニットは双方向の通信手段と音声出力手段を有するようにした孤独死早期発見装置である。
【考案の効果】
【０００６】  本考案の孤独死早期発見装置によれば、人感センサに加えて安価なセンサで居住者の生活行動を検知できるようにした複合センサユニットを、居住空間をカバーするように複数個配設するようにしたので、居住者の独居事故あるいは生死を確実に検知できるとともに、生活行動が検知されない場合には、それぞれの複合センサユニット内の音声出力手段から予め記憶されている問いかけの音声を出力し、外出不在時の防犯モード時には、不正侵入者が検知されると直ちにそれぞれの複合センサユニットから一斉に威嚇音声が出力されるので、独居者の安心、安全が得られる。さらに万一独居者が住み慣れた住居内でなんらかの理由によって死亡し、その事実がなかなか発見されずに放置されて体が劣化することを防ぎ、関係先に速やかに連絡し、安らかな成仏を願うことができる。
【図面の簡単な説明】
【０００７】
【図１】  本考案の一実施形態を示す図である。
【図２】  本考案の一実施形態の詳細を示すブロック図である。
【考案を実施するための形態】
【０００８】  本考案の一実施形態を図１に示す。図１で複合センサユニット１〜４は住居内の居住者の生活空間をカバーするように配設されている。さらに複合センサユニット１〜４は、有線または無線の通信手段１２を介して住居内のコントローラ５に接続されている。有線の場合の通信手段１２としては、例えば２線式でマルチドロップ接続と半二重通信ができるＲＳ−４８５等が用いられる。コントローラ５は、ＣＰＵ、ＲＯＭ、ＲＡＭ、通信インターフェースＩＣ等で構成される制御装置であり、ドアセンサ６からの外出／在室確認信号１３の入力と赤色の点滅を行う警告灯手段７、大きな音量を出力する警報音手段８への出力が接続されている。また、外部と通信を行う公衆回線等の通信手段９への接続がされている。図２に本考案の複合センサユニット１の詳細を示す。人感センサ２０は、例えば人間の体温（３６．５℃）から放射される赤外線のピーク波長約１０μｍおよび動きに検出感度を有する焦電型赤外センサとレンズから構成されたものである。この人感センサ２０は、設置場所に応じて部屋全体の広いエリアやスポット的な検知は、焦電型赤外センサに取り付けるレンズによってそれぞれ適した構成とすることができる。また、人感センサ２０は人の体温と動きを検知するもので、照明のオン／オフ、日中の明るさ、暗闇、テレビやラジオの音などは検知しないので、昼夜に関係なく居住者の動きを検知できる一方で、人体の動きと共に体温と背景との温度差がなくなるような室温が３０℃を超える様な場合、居住者の生存状態や行動が検知できない恐れがある。この人感センサ２０だけでは居住者の生存を検知するには十分とは言い難い。この人感センサ２０を補完するものとして、テレビ、ＡＶ機器、エアコン等のリモコン送信機を居住者が操作したことを検知する赤外線受信モジュールからなるリモコン操作検知センサ２１が複合センサユニット内に具備され、Ｉ／Ｏ端子を有したワンチップマイコン２３に入力される。リモコン操作検知センサ２１でリモコン操作が行われた時の赤外線信号が検知され、ワンチップマイコン２３で検知されたリモコン操作回数のカウントと記憶が行われる。人感センサ２０の出力もワンチップマイコン２３のＩ／Ｏ端子に入力され、居住者の動きの回数のカウントと記憶が行われる。照明スイッチ２８をオン・オフしたことを検知する照明検知センサ２２は、照明スイッチ２８と照明灯２９を結ぶ電灯線１４に流れる電流を検知する交流電流センサで構成される。照明スイッチ２８がオフの場合、照明検知センサ２２の出力はゼロであり、照明スイッチ２８がオンされると電灯線１４に照明灯２９への電流が流れ、その結果、電流センサで構成される照明検知センサ２２で照明スイッチ２８のオン・オフの検知が行われる。照明検知センサ２２の出力は、ケーブルを介して複合センサユニット１内のワンチップマイコン２３のＡ／Ｄコンバータ端子に入力され、信号処理が行われて照明スイッチ２９のオンとオフの操作回数がカウントされ記憶される。ワンチップマイコン２３は、通信手段１２に対応したインターフェースＩＣ２４に接続され、通信手段１２からの制御信号を受信して、例えば１時間に１回、人感センサ２０の検知回数（居住者の動きの回数）、��モコン操作検知センサ２１の検知回数（居住者のリモコン操作回数）、照明検知センサ２２の検知回数（照明スイッチのオン・オフ回数）が、それぞれ通信手段１２を介して住居内のコントローラ５に送信される。ワンチップマイコン２３は記憶していたそれぞれの検知回数の送信を終えるとクリアされ、新たな検知回数の記憶を行うように動作する。このように、複合センサユニット１は、人感センサ２０による居住者の体温と動きを検知するセンサとリモコン操作検知センサ２１あるいは照明検知センサ２２等の居住者の生活行動を検知するセンサの複数のセンサで構成される。更に、複合センサユニット１内には、予め音声情報が記憶された音声ＩＣ２５とアンプ２６、およびスピーカ２７からなる音声出力手段３０を有している。複合センサユニット２〜４も複合センサユニット１と同一構成で同じ機能を有したものである。居住者が在室時に何らかの異常状態が生じ、複合センサユニット１〜４のいずれからも検知出力が得られなくなり、所定の時間経過した場合、コントローラ５からの制御信号に応じて、各複合センサユニット１〜４内の音声出力手段３０から予め記憶されている所定の呼びかけ音声が一斉に出力される。また、コントローラ５は、複合センサユニット１〜４のいずれからも検知出力が得られなくなり、所定の時間経過した場合、居住者の異常の一次判定が行われ、公衆回線等の通信手段９を介して第一の通報先１０に自動通報されるように構成されている。必要に応じて第二の通報先１１にも自動通報される。通常、コントローラ５はそれぞれの複合センサユニット１〜４から検知された検知回数を記憶し、例えば１２時間に１回、通信手段９を介して定期的に第一の通報先１０に送信される。第一の通報先１０は図示しないがサーバを有し、各住居からの検知回数履歴が記憶され、異常の一次判定情報との自動付き合わせが行われ、独居者の事故、生死等の発見が行われる。ドアセンサ６は、ドア鍵に連動した接点出力端子を有したドア錠であり、正規のドア鍵で外から施錠した時に、論理レベル‘０’の信号が出力され、正規のドア鍵で解錠すると論理レベル‘１’の信号を出力するように構成された外出／在室確認信号１３がコントローラ５に入力される。居住者が在室時には、外出／在室確認信号１３の論理レベル‘１’がコントローラ５に入力されており、居住者の安否確認モードとして生存状態や生活行動の検知が複合センサユニット１〜４を介して行われる。外出時に正規のドア鍵で外から施錠した時に、ドアセンサ６からの外出／在室確認信号１３は論理レベル‘０’の信号が出力されるとコントローラ５は、居住者の不在を認識し、通信手段１２を介して複合センサユニット１〜４に防犯モードとしての制御信号が送信され、複合センサユニット１〜４は、防犯モードとしての動作が行われる。
複合センサユニット１〜４のいずれかのセンサ、例えば人感センサ２０からの検知出力がワンチップマイコン２３に入力されると直ちに通信手段１２を介してコントローラ５に送信される。コントローラ５からは、折り返し複合センサユニット１〜４に威嚇音声出力のための制御信号が送信される。複合センサユニット１〜４内の音声出力手段３０から予め記憶されている不正侵入者を威嚇する音声が一斉に出力される。更に、コントローラ５の出力ポートに接続された警告灯手段７から赤色灯の点滅が出力されると共に、コントローラ５の出力ポートに接続された警報音手段８から大きな音量の警報音が出力される。
【符号の説明】
【０００９】    １〜４  複合センサユニット
５  コントローラ
６  ドアセンサ
７  警告灯手段
８  警報音手段
９  通信手段
１０  第一の通報先
１１  第二の通報先
２０  人感センサ
２１  リモコン操作検知センサ
２２  照明検知センサ
２３  ワンチップマイコン
２４  インターフェースＩＣ
２５  音声ＩＣ
２６  アンプ
２７  スピーカ
２８  照明スイッチ
２９  照明灯
３０  音声出力手段
【図１】
0003157374.tif 000003
【図２】
0003157374.tif 000004
【手続補正書】
【提出日】平成21年11月6日(2009.11.6)
【手続補正１】
【補正対象書類名】実用新案登録請求の範囲
【補正対象項目名】請求項１
【補正方法】変更
【補正の内容】
【請求項１】
居住者の体温と動きに反応して検知が行われる人感センサと、前記居住者がテレビ、エアコン等のリモコン送信機を操作したことを検知するリモコン操作検知センサ、あるいは照明灯スイッチをオン・オフしたしたことを検知する照明検知センサの生活行動を検知するセンサがワンチップマイコンに入力されるように構成された複合センサユニットを、住居内生活空間の各部に複数配設すると共に、それぞれの前記複合センサユニット内の前記ワンチップマイコンは、複数のセンサの検知回数を記憶し、所定時間毎に通信手段に前記記憶された検知回数を出力することを特徴とする孤独死早期発見装置。
【手続補正２】
【補正対象書類名】実用新案登録請求の範囲
【補正対象項目名】請求項３
【補正方法】変更
【補正の内容】
【請求項３】
前記複合センサユニットは、前記通信手段から前記居住者の在室か外出かの制御信号を受信し、該制御信号が外出信号の場合、前記複合センサユニット内の前記人感センサからの検知出力が得られた場合、直ちに前記通信手段へ出力すると共に前記音声手段から予め記憶された所定の威嚇音声を出力することを特徴とする請求項１または２記載の孤独死早期発見装置。
【手続補正３】
【補正対象書類名】実用新案登録請求の範囲
【補正対象項目名】請求項５
【補正方法】変更
【補正の内容】
【請求項５】
居住者の在室か外出かを検知するドアセンサがコントローラに接続され、前記ドアセンサが外出を検知した場合、複数配設された前記複合センサユニットは前記コントローラを介して防犯モードに切り替えられ、不正侵入者が検知された場合、前記コントローラに接続された警報手段が作動すると共に、前記それぞれの複合センサユニットから威嚇音声が出力されることを特徴とする請求項１〜４のいずれかに記載の孤独死早期発見装置。
【手続補正４】
【補正対象書類名】実用新案登録請求の範囲
【補正対象項目名】請求項６
【補正方法】変更
【補正の内容】
【請求項６】
コントローラは、前記複合センサユニットからの検知回数を、前記通信手段を介して所定時間毎に取得し、住居外の通信回線を介して所定の通報先に送信すると共に、前記複合センサユニットのいずれからも検知回数ゼロが継続し、所定の時間経過した時、前記所定の通報先に自動通報することを特徴とする請求項１〜５のいずれかに記載の孤独死早期発見装置。
【手続補正５】
【補正対象書類名】明細書
【補正対象項目名】０００４
【補正方法】変更
【補正の内容】
【０００４】  しかしながら、以上の技術によれば、独居者の見守りがベースでややもすると作り手の発想から考えられていて、使う側の気遣いに対する配慮に欠けたものとなっていたり、独居事故を発見するには十分とは言い難い。そこで、この考案は、住居内で暮らしている居住者が本考案の装置を何ら意識することなく生活でき、独居事故で万一亡くなった場合にその事実がなかなか発見されないケースや誤作動を防止し、独居事故を早期に発見し、外部に速やかに連絡ができる、あるいは外部で知ることができる独居事故による孤独死の早期発見装置を提供することである。